(57)【要約】【課題】映像監視によるセキュリティ性能を確保しつつ住戸人のプライバシーを十分に保護する。【解決手段】何れかの住戸機４で撮像装置６の監視映像の表示が要求されたときに、規制手段たる住戸機４の制御部４０が記憶部Ｍに記憶した表示可否情報に基づいて当該住戸機４に対する監視映像出力の可否を判断し、映像の表示が許可されていない撮像装置６の監視映像を映像切換装置５が切換出力することを規制する。従って、自動車を所有していない住戸人の住戸機４では駐車場に設置された撮像装置６の監視映像が表示されず、あるいは、子供を持たない住戸人の住戸機４では子供の遊び場に設置された撮像装置６の監視映像が表示されないようにすることが可能となり、映像監視によるセキュリティ性能を確保しつつ住戸人のプライバシーを十分に保護することができる。【選択図】        図１
2006222888.tif 000002
【特許請求の範囲】
【請求項１】
集合住宅の共用部に設置される複数の撮像装置と、これら複数の撮像装置で撮像した映像を択一的に切り換えて出力する映像切換装置と、集合住宅の各住戸にそれぞれ設置され映像切換装置とは伝送線路を介して接続されるとともに映像切換装置で切り換えて出力される映像を表示する複数台の住戸機と、各住戸機並びに映像切換装置と制御線で接続され該制御線を介して各住戸機から伝送される制御信号に基づき映像切換装置に対して出力映像の切換を指示する制御装置とを備え、各住戸機は、伝送線路を介して受信した映像を表示する表示手段と、前記制御線を介して制御装置に対して表示手段に映像を表示する撮像装置を選択するための前記制御信号を伝送する制御信号伝送手段とを具備し、制御装置は、制御線を介して住戸機及び映像切換装置との間で制御信号を授受する制御信号伝送手段を具備する集合住宅用映像監視システムであって、複数台の住戸機と各住戸機の表示手段で映像の表示が許可される撮像装置との対応関係を定めた情報を記憶する記憶手段と、記憶手段に記憶された前記情報に基づき各住戸機に対して映像の表示が許可されていない撮像装置の映像を映像切換装置が切換出力することを規制する規制手段とを、前記住戸機及び制御装置の少なくとも何れか一方に具備することを特徴とする集合住宅用映像監視システム。
【請求項２】
前記記憶手段及び規制手段を前記制御装置のみが具備することを特徴とする請求項１記載の集合住宅用映像監視システム。
【発明の詳細な説明】
【技術分野】
【０００１】
本発明は、集合住宅の共用部に設置される複数の撮像装置で撮像した映像を映像切換装置により択一的に切り換えて出力し、映像切換装置から出力される映像を集合住宅の各住戸に設置された住戸機で表示するようにした集合住宅用映像監視システムに関するものである。
【背景技術】
【０００２】
近年、マンションなどの集合住宅の共用玄関や駐車場あるいは子供の遊び場などの共用部に複数の撮像装置（監視カメラ）を設置し、監視カメラで撮像した映像を各住戸に設置された住戸機で表示可能とした集合住宅用映像監視システムが提供されている（例えば、特許文献１等参照）。
【特許文献１】特開２００４−３５７２４４号公報
【発明の開示】
【発明が解決しようとする課題】
【０００３】
しかしながら、上記従来例では各住戸機で全ての監視カメラの映像を自由に表示することができ、例えば、自動車を所有していない住戸人の住戸機で駐車場に設置された監視カメラの映像を表示したり、子供を持たない住戸人の住戸機で子供の遊び場に設置された監視カメラの映像を表示することも可能であるため、住戸人のプライバシーが十分に保護されているとは言い難い状況にあった。
【０００４】
本発明は上記事情に鑑みて為されたものであり、その目的は、映像監視によるセキュリティ性能を確保しつつ住戸人のプライバシーを十分に保護することができる集合住宅用映像監視システムを提供することにある。
【課題を解決するための手段】
【０００５】
請求項１の発明は、上記目的を達成するために、集合住宅の共用部に設置される複数の撮像装置と、これら複数の撮像装置で撮像した映像を択一的に切り換えて出力する映像切換装置と、集合住宅の各住戸にそれぞれ設置され映像切換装置とは伝送線路を介して接続されるとともに映像切換装置で切り換えて出力される映像を表示する複数台の住戸機と、各住戸機並びに映像切換装置と制御線で接続され該制御線を介して各住戸機から伝送される制御信号に基づき映像切換装置に対して出力映像の切換を指示する制御装置とを備え、各住戸機は、伝送線路を介して受信した映像を表示する表示手段と、前記制御線を介して制御装置に対して表示手段に映像を表示する撮像装置を選択するための前記制御信号を伝送する制御信号伝送手段とを具備し、制御装置は、制御線を介して住戸機及び映像切換装置との間で制御信号を授受する制御信号伝送手段を具備する集合住宅用映像監視システムであって、複数台の住戸機と各住戸機の表示手段で映像の表示が許可される撮像装置との対応関係を定めた情報を記憶する記憶手段と、記憶手段に記憶された前記情報に基づき各住戸機に対して映像の表示が許可されていない撮像装置の映像を映像切換装置が切換出力することを規制する規制手段とを、前記住戸機及び制御装置の少なくとも何れか一方に具備することを特徴とする。
【０００６】
請求項２の発明は、請求項１の発明において、前記記憶手段及び規制手段を前記制御装置のみが具備することを特徴とする。
【発明の効果】
【０００７】
請求項１の発明によれば、何れかの住戸機で撮像装置の映像表示が要求されたときに規制手段が記憶手段に記憶した情報に基づいて当該住戸機に対する映像出力の可否を判断し、映像の表示が許可されていない撮像装置の映像を映像切換装置が切換出力することを規制するので、例えば、自動車を所有していない住戸人の住戸機では駐車場に設置された撮像装置の映像が表示されず、あるいは、子供を持たない住戸人の住戸機では子供の遊び場に設置された撮像装置の映像が表示されないようにすることが可能となり、映像監視によるセキュリティ性能を確保しつつ住戸人のプライバシーを十分に保護することができる。
【０００８】
請求項２の発明によれば、請求項１の発明の効果に加えて、各住戸機で前記情報が勝手に書き換えられて規制が解除されることを防ぐことができる。
【発明を実施するための最良の形態】
【０００９】
以下、図面を参照して本発明の実施形態を詳細に説明する。
【００１０】
本実施形態のシステム構成例を図１に示す。本実施形態では、集合住宅の共用玄関に設置される共用部装置（ロビーインターホン）２と、各住戸にそれぞれ設置される複数台（図示は１台のみ）の住戸機４とを備え、ロビーインターホン２と住戸機４とがそれぞれ伝送線路を介して接続されている。伝送線路は、ロビーインターホン２に接続される幹線Ｌ１と、各住戸機４にそれぞれ接続される住戸別線Ｌ２とを含み、さらに集合住宅の管理人室に設置された警報監視盤１が幹線Ｌ１に接続される。この伝送線路としては、３対以上のペア線をシース内に備える多対ツイストペアケーブルを用いており、図示は省略するがロビーインターホン２と住戸機４との間で音声信号を伝送する通話線Ｌａと、ロビーインターホン２が具備するカメラ２６で撮像された映像信号を伝送する映像線Ｌｂと、ロビーインターホン２が有する選択手段（後述する）により選択された住戸機４を指定する制御信号を伝送する制御線Ｌｃとにそれぞれペア線を用いている。つまり、図示例の伝送線路では３対のペア線を用いている。ここで、映像線Ｌｂを介して伝送される映像信号はロビーインターホン２において周波数変調され、後述するように各住戸機４に設けた映像処理部４３で周波数復調されてモニタ部４５に表示される。
【００１１】
図３に示すようにロビーインターホン２は、音声を入出力するマイクロホン２４ａ及びスピーカ２４ｂと、通話線Ｌａを介して住戸機４から伝送される音声信号を信号処理してスピーカ２４ｂに出力するとともにマイクロホン２４ａから入力する音声信号を信号処理して通話線Ｌａに送出することでハンズフリー通話を実現する通話処理部２５と、来訪者を撮像するカメラ２６と、カメラ２６が出力する映像信号を周波数変調して映像線Ｌｂを介して伝送する映像処理部２７と、住戸番号を指定するための番号キーや呼出釦を有する操作スイッチ部２２と、操作スイッチ部２２で指定された住戸番号等を表示する表示部２３と、操作スイッチ部２２の操作を報知するための報知音や後述する報知メッセージを生成してスピーカ２４ｂへ出力する報知音生成部２９と、ＣＰＵを主構成要素とし上記各部の動作を制御する制御部２０と、制御部２０と制御線Ｌｃのインタフェースを行う伝送送受信部２１と、マイクロホン２４ａから出力する音声信号を増幅する増幅器Ａ１と、スピーカ２４ｂへ出力する音声信号を増幅する増幅器Ａ２とを備えている。つまり、来訪者が選択手段である操作スイッチ部２２の番号キーを操作して訪問先の住戸番号を選択した後に呼出釦を操作すると住戸番号に対応する住戸機２を選択したことになる。ここで、ロビーインターホン２には通話線Ｌａ及び制御線Ｌｃを介して警報監視盤１が接続されており、ロビーインターホン２で選択された住戸番号が制御線Ｌｃを介して警報監視盤１に伝送されると、警報監視盤１が当該住戸番号に対応する住戸機４に対して呼出元のロビーインターホン２に割り当てられている固有のアドレスを付加した制御信号（呼出コマンド）を制御線Ｌｃを介して送出する。
【００１２】
一方、住戸機４は、図２に示すように音声を入出力するマイクロホン４１ａ及びスピーカ４１ｂを備え、マイクロホン４１ａとスピーカ４１ｂとはそれぞれ通話処理部４２に接続されている。また、通話処理部４２には受話側並びに送話側の各伝送経路と２線の通話線Ｌａとを２線４線変換する２線４線変換部（図示せず）が接続されている。通話処理部４２は、通話線Ｌａを介して伝送されてくる音声信号（受話信号）とマイクロホン４１ａから出力される音声信号（送話信号）のレベルを比較することで通話状態（受話状態又は送話状態）を推定し、受話状態と推定したときには送話信号の伝送経路に損失を挿入し、送話状態と推定したときには受話信号の伝送経路に損失を挿入することで受話モードと送話モードを切り換える音声スイッチや、マイクロホン４１ａとスピーカ４１ｂの音響結合によって生じる音響エコーを消去するためのエコーキャンセラなどを具備する。但し、このような音声スイッチやエコーキャンセラは従来周知であるから詳細な構成及び動作の図示並びに説明は省略する。したがって、ロビーインターホン２と住戸機４との間で通話線Ｌａを通して音声信号を授受することができ、来訪者がロビーインターホン２を用いるとともに居住者が住戸機４を用いることによって、来訪者と居住者との間で音声通話が可能となる。
【００１３】
また住戸機４には、住戸別線Ｌ２の通話線Ｌａと映像線Ｌｂをそれぞれ通話信号（受話信号及び送話信号）の伝送経路（以下、「通話路」と呼ぶ。）と映像信号の伝送経路に分離する幹線インタフェース（図示せず）が設けられている。映像信号の伝送経路は映像処理部４３に接続され、通話路は通話処理部４２と子器インタフェース部４４とに択一的に切換接続される。子器インタフェース部４４には子器接続線Ｌ３を介してドアホン子器３が接続される。ドアホン子器３は集合住宅の各住戸の玄関先に配置されるものであってマイクロホン及びスピーカを備え、子器インタフェース部４４はドアホン子器３との通話のための音声双方向増幅回路や通話路を接続するための開閉路回路などを備える。したがって、通話路が子器インタフェース部４４に接続されている状態ではドアホン子器３と住戸機４との間での通話が可能になっている。また、ドアホン子器３にはテレビカメラが設けられ、子器インタフェース部４４では子器接続線Ｌ３を介して伝送される音声信号と映像信号を分離し、分離した映像信号を映像処理部４３に出力してモニタ部４５に表示することができるようになっている。さらにドアホン子器３には呼出釦が設けられ、呼出釦が操作されたときに子器接続線Ｌ３に呼出信号を送出する機能を有し、住戸機４では呼出信号を検出したときに報知音生成部４６で生成された呼出音がスピーカ４１ｂから送出されるようになっている。
【００１４】
住戸機４において、モニタ部４５には液晶表示器が用いられる。映像線Ｌｂを通して住戸機４に入力される映像信号は、幹線インタフェースで平衡−不平衡変換され、さらに増幅器で増幅された後に映像処理部４３において周波数復調される。また、子器接続線Ｌ３を通して住戸機４に入力される映像信号も、子器インタフェース部４４で平衡−不平衡変換され、さらに増幅器で増幅された後に映像処理部４３において周波数復調される。そして、映像処理部４３から出力された映像信号は、モニタ部４５に入力されることによってモニタ部４５の画面に映像を表示する。つまり、ロビーインターホン２やドアホン子器３のカメラにおいて撮像された来訪者の映像が住戸機４のモニタ部４５に表示されるから、住戸内の居住者が来訪者を確認することができるのである。また報知音生成部４６は、ロビーインターホン２やドアホン子器３からの呼出等を報知するための報知音を生成し、生成した報知音をスピーカ４１ｂに出力するとともに当該報知音をバックトーンとして住戸別線Ｌ２又は子器接続線Ｌ３にも出力する。
【００１５】
住戸機４には、ＣＰＵを主構成要素とし内部回路を制御する制御部４０が設けられ、制御部４０には制御線Ｌｃとのインタフェースとなる伝送送受信部４７が接続される。伝送送受信部４７は、制御部４０から出力された制御信号を制御線Ｌｃに送出し、制御線Ｌｃから受信した制御信号を制御部４０に引き渡す機能を有する。また住戸機４には、呼出に応答する際に操作される応答釦４８ｂ等を含む操作スイッチ部４８ａと、操作スイッチ部４８ａの操作に応じた操作入力を制御部４０に入力するスイッチ入力部４８ｂとが設けられる。さらに住戸機４には、住戸内に設置される種々のセキュリティセンサ（火災感知器やガス漏れ感知器など）Ｓと制御部４０とのインタフェースとなるセンサ入力部４９が設けられている。つまり、住戸機４においては、セキュリティセンサＳから火災やガス漏れ等の異常発生を知らせるセンサ信号がセンサ入力部４９を通じて制御部４０に入力されると、制御部４０が報知音生成部４６に対して異常発生を報知するための警報音や警報メッセージを生成させてスピーカ４１ｂから送出させるとともに、伝送送受信部４７から制御線Ｌｃを介して警報監視盤１に異常発生を報知するための制御信号を送信させ、警報監視盤１においても異常発生の警報を行うように構成されている。尚、このように通話機能とセキュリティ機能を有した住戸機４は特に住宅情報盤と呼ばれる。
【００１６】
ところで、住戸別線Ｌ２は幹線Ｌ１から分岐されているため、ロビーインターホン２から警報監視盤１を介して送出された制御信号は制御線Ｌｃに接続されるすべての住戸機４に伝送される。ここに、住戸機４の制御部４０には個別にアドレス（たとえば、住戸番号）が設定されており、ロビーインターホン２において住戸機４のアドレスを選択することによって、住戸機４のアドレスを指定する制御信号（呼出コマンド）が警報監視盤１から制御線Ｌｃを介して全ての住戸機４に伝送することが可能になっている。住戸機４の制御部４０は、制御信号に含まれるアドレスが自己のアドレスであれば映像処理部４３やモニタ部４５を起動してロビーインターホン２のカメラにおいて撮像された来訪者の映像を住戸機４のモニタ部４５に表示させるとともに、報知音生成部４６に生成させた報知音（呼出音）をスピーカ４１ｂから送出させる。そして、呼出音に応じて居住者が住戸機４の操作スイッチ部４８ａに設けられている応答釦４８ｂ（図１参照）を押操作すれば、制御部４０が通話線Ｌａに接続された通話路を通話処理部４２に接続してロビーインターホン２との間に通信路を確立することにより、ロビーインターホン２と選択された住戸機４との間でのみ通話可能にすることができるとともに、選択された住戸機４でのみカメラで撮像された来訪者をモニタ部４５に表示することが可能になる。尚、ロビーインターホン２において選択された住戸機４がロビーインターホン２との間で通信路を確立している状態は、ロビーインターホン２または住戸機４において適宜の操作釦を用いた通話終了が検出されると終了する。
【００１７】
また、ドアホン子器３の呼出釦が押操作されて子器接続線Ｌ３に呼出信号が送出されると、呼出信号を検出した住戸機４の制御部４０が映像処理部４３やモニタ部４５を起動してドアホン子器３のカメラにおいて撮像された来訪者の映像を住戸機４のモニタ部４５に表示させるとともに、報知音生成部４６に生成させた報知音（呼出音）をスピーカ４１ｂから送出させる。そして、呼出音に応じて居住者が住戸機４の応答釦４８ｂを押操作すれば、制御部４０が通話路を子器インタフェース部１８に接続する状態に切り換えてドアホン子器３との間に通信路を確立することにより、ドアホン子器３と住戸機４との間で通話可能にすることができるとともカメラで撮像された来訪者をモニタ部４５に表示することが可能になる。
【００１８】
警報監視盤１は集合住宅の管理人室に設置されるものであって、図４に示すようにハンドセット（図示せず）を用いて通話するための通話部１４と、住戸機４の住戸番号を入力するための番号キー等を有する操作部１２と、住戸機４における異常発生を報知するための警報音や警報メッセージを生成してスピーカ（図示せず）から送出する警報音生成部１５と、操作部１２で指定された住戸番号等を表示する表示部１３と、ＣＰＵを主構成要素とし上記各部の動作を制御する制御部１０と、制御部１０と制御線Ｌｃのインタフェースを行う伝送送受信部１１と、書換可能な不揮発性メモリからなる記憶部１６とを備え、通話線Ｌａを介して各住戸機４との間で通話並びに一斉放送を行う機能や、制御線Ｌｃを介して住戸機４から伝送される異常発生を報知するための制御信号を受信して警報を発する機能等を有している。例えば、管理人が操作部１２を操作して住戸番号を入力した後に通話部１４のハンドセットをオフフックすると、入力された住戸番号に対応する住戸機４に対して制御部１０が制御信号（呼出コマンド）を生成し、伝送送受信部１１から制御線Ｌｃに送出させ、上述したロビーインターホン２と住戸機４との通話時と同様に、選択された住戸機４と警報監視盤１との間でのみ通話線Ｌａを介した通話が可能となる。尚、一斉放送とは、警報監視盤１から複数台（全て若しくは一部）の住戸機４に対して音声信号を伝送することであって、各住戸への緊急性を有しない連絡や避難誘導などの緊急連絡を目的に行われる。例えば、警報監視盤１から全ての住戸機４に対して一斉放送を行う場合、警報監視盤１から一斉放送の開始を指示する制御信号（一斉放送開始コマンド）が制御線Ｌｃを介して各住戸機４に送信され、この制御信号を受信した各住戸機４では、一斉放送開始コマンドを応じて制御部４０が通話線Ｌａに接続された通話路を通話処理部４２に接続することで警報監視盤１との間に通信路が確立され、警報監視盤１から送出される一斉放送の音声信号が通話線Ｌａを介して各住戸機４に伝送され、スピーカ４１ｂから一斉放送の音声が送出される。
【００１９】
また警報監視盤１には制御線Ｌｃを介して映像切換装置５が接続されている。この映像切換装置５は、集合住宅の共用部（例えば、駐車場、敷地内の子供の遊び場、共用玄関、ゴミ捨て場など）に設置された複数台の撮像装置６とそれぞれ信号線Ｌｓで接続され、住戸機４からの要求に応じて、何れかの撮像装置６から信号線Ｌｓを介して入力する映像信号を幹線Ｌ１の映像線Ｌｂに択一的に出力する。撮像装置６は、ＣＣＤのような個体撮像素子、レンズなどの光学系、映像信号の処理回路などを有する従来周知の監視カメラからなり、信号線Ｌｓを介して周波数変調した映像信号を出力する。尚、撮像装置６から出力される映像信号を「監視映像信号」、監視映像信号を表示デバイスに表示したときの映像を「監視映像」と呼ぶことにする。
【００２０】
一方、映像切換装置５は、図５に示すようにＣＰＵを主構成要素とする制御部５０と、制御部５０と制御線Ｌｃのインタフェースを行う伝送送受信部５１と、制御部５０によって個別に開閉される常開型の複数のスイッチＳＷからなる切換部５２とを備えている。複数のスイッチＳＷは一方の端子が映像線Ｌｂと接続され、他方の端子が互いに異なる信号線Ｌｓと接続されており、制御部５０によって個別に開閉される。すなわち、通常は全てのスイッチＳＷがオフされているが、何れかの住戸機４から警報監視盤１を通じて監視映像の伝送要求（制御信号）が映像切換装置５に届けられたときに制御部５０が当該伝送要求に応じて何れか一つのスイッチＳＷのみをオンして当該スイッチＳＷに信号線Ｌｓを介して接続されている撮像装置６の監視映像信号を映像線Ｌｂに送出させ、伝送要求を行った住戸機４のモニタ部４５で監視映像を表示することができるのである。従って、本実施形態においては警報監視盤１が制御装置に相当する。
【００２１】
ここで各住戸機４の記憶部Ｍには、各撮像装置６に割り当てられた固有のＩＤ番号（以下、「カメラ番号」と呼ぶ。）と、撮像装置６で撮像される監視映像の表示の可否との対応関係を定めた情報（以下、「表示可否情報」と呼ぶ。）が記憶されている。例えば、共用玄関とゴミ捨て場に設置されている撮像装置６で撮像された監視映像については全ての住戸機４で表示が許可されるが、駐車場や子供の遊び場に設置されている撮像装置６で撮像された監視映像については、それぞれ自動車を保有する住戸人の住戸機４や子供を持つ住戸人の住戸機４でのみ表示が許可され、自動車を保有しない住戸人の住戸機４では駐車場に設置された撮像装置６の監視映像の表示が禁止されるとともに、子供を持たない住戸人の住戸機４では子供の遊び場に設置された撮像装置６の監視映像の表示が禁止されるのであって、表示可否情報には、全てのカメラ番号に対して監視映像の表示の許可／禁止が定められている。
【００２２】
次に、撮像装置６で撮像された監視映像を住戸機４のモニタ部４５に表示する際の動作を、図６のフローチャートを参照して詳細に説明する。
【００２３】
まず、住戸人が操作スイッチ部４８ａを操作して監視映像を表示させようとする撮像装置６のカメラ番号を入力した後に監視映像の表示を開始するための操作釦を操作すると、入力されたカメラ番号がスイッチ入力部４８ｂを通して制御部４０に取り込まれる（ステップ１０）。制御部４０では、記憶部Ｍに記憶している表示可否情報を参照し、取り込んだカメラ番号に対する監視映像の表示の可否を判断する（ステップ１１）。当該カメラ番号に対する監視映像の表示が許可されていれば、制御部４０は当該カメラ番号の撮像装置６で撮像された監視映像の伝送要求コマンドと自己のアドレス（住戸番号）を含む制御信号を伝送送受信部４７から制御線Ｌｃを介して警報監視盤１に伝送する（ステップ１２）。また、当該カメラ番号に対する監視映像の表示が禁止されていれば、制御部４０は当該カメラ番号の撮像装置６で撮像された監視映像の表示が許可されていない旨の表示をモニタ部４５の画面に表示させて待機状態に戻る（ステップ１３）。すなわち、本実施形態では住戸機４の制御部４０が規制手段に相当する。
【００２４】
警報監視盤１では、伝送送受信部１１で受信した制御信号が制御部１０に取り込まれ、記憶部１６に記憶されているカメラ番号とスイッチＳＷの対応関係に基づいて、制御部１０が伝送要求コマンドに含まれるカメラ番号と対応するスイッチＳＷをオンするためのスイッチ制御コマンドを作成し、そのスイッチ制御コマンドを含む制御信号を伝送送受信部１１から制御線Ｌｃを介して映像切換装置５に伝送する（ステップ２０）。
【００２５】
映像切換装置５では、伝送送受信部５１で受信した制御信号が制御部５０に取り込まれ、スイッチ制御コマンドに応じてカメラ番号と対応するスイッチＳＷを制御部５０がオンする（ステップ３０）。その結果、オンされたスイッチＳＷに信号線Ｌｓを介して接続されている撮像装置６の監視映像信号が映像切換装置５から映像線Ｌｂに出力されるので、伝送要求コマンドを送信した住戸機４においては、映像線Ｌｂを介して伝送される監視映像信号が映像処理部４３で復調されてモニタ部４５の画面に監視映像が表示される（ステップ１４）。尚、住戸機４における監視映像の表示は、表示開始から所定の時間が経過したときに警報監視盤１の制御部１０がスイッチ制御コマンドを伝送して映像切換装置５のスイッチＳＷをオフすることで強制的に終了するか、あるいは住戸機４で監視映像の表示を終了する操作が行われたときに伝送停止コマンドを警報監視盤１に伝送し、警報監視盤１の制御部１０がスイッチ制御コマンドを伝送して映像切換装置５のスイッチＳＷをオフすることで終了すればよい。
【００２６】
このように何れかの住戸機４で撮像装置６の監視映像の表示が要求されたときに、規制手段たる住戸機４の制御部４０が記憶部Ｍに記憶した表示可否情報に基づいて当該住戸機４に対する監視映像出力の可否を判断し、映像の表示が許可されていない撮像装置６の監視映像を映像切換装置５が切換出力することを規制するので、例えば、自動車を所有していない住戸人の住戸機４では駐車場に設置された撮像装置６の監視映像が表示されず、あるいは、子供を持たない住戸人の住戸機４では子供の遊び場に設置された撮像装置６の監視映像が表示されないようにすることが可能となり、映像監視によるセキュリティ性能を確保しつつ住戸人のプライバシーを十分に保護することができる。
【００２７】
ところで、住戸機４の住戸番号と、各撮像装置６で撮像される監視映像の表示の可否との対応関係を定めた表示可否情報を警報監視盤１の記憶部１６に記憶しておき、住戸機４から伝送要求コマンドの制御信号を受け取ったときに制御信号に含まれる住戸番号とカメラ番号に基づいて警報監視盤１の制御部１０が監視映像の表示の可否を判断するようにしても構わない。このように表示可否情報を各住戸機４ではなく警報監視盤１で一元的に管理すれば、各住戸機４で表示可否情報が勝手に書き換えられて規制が解除されることを防ぐことができるという利点がある。
【図面の簡単な説明】
【００２８】
【図１】本発明の実施形態を示すシステム構成図である。
【図２】同上における住戸機のブロック図である。
【図３】同上におけるロビーインターホン（共用部装置）のブロック図である。
【図４】同上における警報監視盤（制御装置）のブロック図である。
【図５】同上における映像切換装置のブロック図である。
【図６】同上の動作を説明するためのフローチャートである。
【符号の説明】
【００２９】
１  警報監視盤
１０  制御部
４  住戸機
４０  制御部
Ｍ  記憶部
５  映像切換装置
６  撮像装置
【図１】
2006222888.tif 000003
【図２】
2006222888.tif 000004
【図３】
2006222888.tif 000005
【図４】
2006222888.tif 000006
【図５】
2006222888.tif 000007
【図６】
2006222888.tif 000008